(57)【要約】【課題】複数の文字種が表示されている画面から、一の文字種が表示されている画面に簡易的に切り替えることができる携帯電子機器及び表示制御方法を提供すること。【解決手段】携帯電話装置１は、ＬＣＤ表示部２１と、少なくとも２種類の文字種として、数字及び文字を入力可能な複数の入力キー１４１を含む入力操作キー１４と、入力キー１４１のいずれか一のキーが操作されたことに応じて、当該操作された入力キー１４１に対応付けられた数字及び文字をＬＣＤ表示部２１に表示させ、入力キー１４１が連続して複数回操作された場合に、当該操作に係る操作時間の間隔に基づいて、数字と文字とのいずれか一方をＬＣＤ表示部２１に表示させた状態で、他方をＬＣＤ表示部２１から消去させる制御部６０と、を備える。【選択図】図２
2012248975.tif 000002
【特許請求の範囲】
【請求項１】
表示部と、
少なくとも２種類の文字種を入力可能な複数の入力キーを含む操作部と、
前記入力キーのいずれか一のキーが操作されたことに応じて、当該操作された入力キーに対応付けられた第１文字種の文字及び第２文字種の文字を前記表示部に表示させ、前記入力キーが連続して複数回操作された場合に、当該操作に係る操作時間の間隔に基づいて、前記第１文字種の文字と前記第２文字種の文字とのいずれか一の文字種の文字を前記表示部に表示させた状態で、他方の文字種の文字を前記表示部から消去させる制御部と、
を備える携帯電子機器。
【請求項２】
前記制御部は、前記入力キーのいずれか一のキーが連続して複数回操作された場合に、当該操作に係る操作時間の間隔が所定時間以上であるときには前記第１文字種の文字を前記表示部に表示させた状態で前記第２文字種の文字を前記表示部から消去させ、当該操作に係る操作時間の間隔が所定時間未満であるときには前記第２文字種の文字を前記表示部に表示させた状態で前記第１文字種の文字を前記表示部から消去させる、
請求項１に記載の携帯電子機器。
【請求項３】
前記制御部は、前記入力キーのいずれか一のキーが連続して複数回操作された場合における前記操作時間の間隔が第１時間未満の場合には前記第２文字種の文字を前記表示部に表示させた状態で前記第１文字種の文字を前記表示部から消去させ、当該操作時間の間隔が前記第２時間以上の場合には前記第１文字種の文字を前記表示部に表示させた状態で前記第２文字種の文字を前記表示部から消去させ、当該操作時間の間隔が前記第１時間以上かつ前記第２時間未満の場合には前記第１文字種の文字と前記第２文字種の文字との双方の前記表示部への表示を継続させる、
請求項１に記載の携帯電子機器。
【請求項４】
前記制御部は、前記入力キーのいずれか一のキーが連続して複数回操作された場合、いずれか一の操作と、当該操作の次の操作との操作時間の間隔を測定する、
請求項１から３のいずれか１項に記載の携帯電子機器。
【請求項５】
通信部を更に備え、
前記操作部は、発呼を指示可能な発呼キーを更に備え、
前記制御部は、前記表示部に前記第１文字種として数字列が表示されている状態において前記発呼キーが操作された場合に、当該数字列を電話番号として前記通信部に対して発呼を行わせる、
請求項１から４のいずれか１項に記載の携帯電子機器。
【請求項６】
前記操作部は、前記入力キーの操作に応じて前記表示部に表示された文字のうち、直近の操作に対応する文字の消去を指示可能なクリアキーを更に備え、
前記制御部は、前記第１文字種の文字及び前記第２文字種の文字が前記表示部に表示されている状態から、前記操作時間の間隔に基づいて前記第１文字種の文字及び前記第２文字種の文字のいずれか一方が表示され他方が消去された状態に遷移した後、前記クリアキーが操作された場合に、前記表示部から消去された文字種の文字を前記表示部に再表示させて、前記第１文字種の文字及び前記第２文字種の文字が前記表示部に表示されている状態に遷移させる、
請求項１から５のいずれか１項に記載の携帯電子機器。
【請求項７】
表示部と、少なくとも２種類の文字種を入力可能な複数の入力キーを含む操作部と、を備える携帯電子機器が、前記表示部に対する表示制御を行う表示制御方法であって、
前記入力キーのいずれか一のキーが操作されたことに応じて、当該操作された入力キーに対応付けられた第１文字種の文字及び第２文字種の文字を前記表示部に表示させるステップと、
前記表示部に当該操作された入力キーに対応付けられた第１文字種の文字及び第２文字種の文字が表示されている場合において、前記入力キーが連続して複数回操作されたとき、当該操作に係る操作時間の間隔に基づいて、前記第１文字種の文字と前記第２文字種の文字とのいずれか一の文字種の文字を前記表示部に表示させた状態で、他方の文字種の文字を前記表示部から消去させるステップと、
を含む表示制御方法。
【発明の詳細な説明】
【技術分野】
【０００１】
本発明は、携帯電子機器及び表示制御方法に関する。より詳細には、少なくとも２種類の文字種を入力可能な複数の入力キーが操作されたことに応じて表示制御を行う携帯電子機器及び表示制御方法に関する。
【背景技術】
【０００２】
近年、携帯電話装置が高機能化したことに伴い、携帯電話装置に対して文字を入力したり、数字を入力したりすることが頻繁に行われている。
【０００３】
例えば、携帯電話装置において、文字や数字を入力可能なアプリケーション（例えば、メモ帳アプリケーション）に文字や数字を入力する場合、ユーザは、待受画面（初期状態）からメニュー画面を起動させる。そして、ユーザは、メニュー画面においてアプリケーションを選択することによって、携帯電話装置にアプリケーションを実行させ、その後、当該アプリケーションに文字や数字等を入力する。
【０００４】
これに対して、待受画面から簡易的な操作でアプリケーションに文字や数字等を入力することができる携帯電話装置が提案されている。例えば、特許文献１には、待受画面において、文字と数字とが割り当てられている入力キーが操作されたことに応じて、文字と数字との双方を表示部に表示させ、アプリケーションプログラムの実行を受け付けた場合に、入力された文字と数字とのいずれかをアプリケーションに入力する携帯電話装置が提案されている（例えば、特許文献１参照）。
【先行技術文献】
【特許文献】
【０００５】
【特許文献１】特開２０１０−０３４９７９号公報
【発明の概要】
【発明が解決しようとする課題】
【０００６】
しかしながら、特許文献１に記載されている携帯電話装置では、待受画面において、文字と数字とが割り当てられている入力キーが操作されてから、アプリケーションが選択されるまで、文字と数字との双方が表示部に表示された状態となる。このため、操作に不慣れなユーザに対して、表示部に表示されている画面が複雑なものであると認識させてしまうおそれがある。
【０００７】
本発明は、複数の文字種が表示されている画面から、一の文字種が表示されている画面に簡易的に切り替えることができる携帯電子機器及び表示制御方法を提供することを目的とする。
【課題を解決するための手段】
【０００８】
本発明に係る携帯電子機器は、表示部と、少なくとも２種類の文字種を入力可能な複数の入力キーを含む操作部と、前記入力キーのいずれか一のキーが操作されたことに応じて、当該操作された入力キーに対応付けられた第１文字種の文字及び第２文字種の文字を前記表示部に表示させ、前記入力キーが連続して複数回操作された場合に、当該操作に係る操作時間の間隔に基づいて、前記第１文字種の文字と前記第２文字種の文字とのいずれか一の文字種の文字を前記表示部に表示させた状態で、他方の文字種の文字を前記表示部から消去させる制御部と、を備える。
【０００９】
また、本発明に係る携帯電子機器では、前記制御部は、前記入力キーのいずれか一のキーが連続して複数回操作された場合に、当該操作に係る操作時間の間隔が所定時間以上であるときには前記第１文字種の文字を前記表示部に表示させた状態で前記第２文字種の文字を前記表示部から消去させ、当該操作に係る操作時間の間隔が所定時間未満であるときには前記第２文字種の文字を前記表示部に表示させた状態で前記第１文字種の文字を前記表示部から消去させることが好ましい。
【００１０】
また、本発明に係る携帯電子機器では、前記制御部は、前記入力キーのいずれか一のキーが連続して複数回操作された場合における前記操作時間の間隔が第１時間未満の場合には前記第２文字種の文字を前記表示部に表示させた状態で前記第１文字種の文字を前記表示部から消去させ、当該操作時間の間隔が前記第２時間以上の場合には前記第１文字種の文字を前記表示部に表示させた状態で前記第２文字種の文字を前記表示部から消去させ、当該操作時間の間隔が前記第１時間以上かつ前記第２時間未満の場合には前記第１文字種の文字と前記第２文字種の文字との双方の前記表示部への表示を継続させることが好ましい。
【００１１】
また、本発明に係る携帯電子機器では、前記制御部は、前記入力キーのいずれか一のキーが連続して複数回操作された場合、いずれか一の操作と、当該操作の次の操作との操作時間の間隔を測定することが好ましい。
【００１２】
また、本発明に係る携帯電子機器は、通信部を更に備え、前記操作部は、発呼を指示可能な発呼キーを更に備え、前記制御部は、前記表示部に前記第１文字種として数字列が表示されている状態において前記発呼キーが操作された場合に、当該数字列を電話番号として前記通信部に対して発呼を行わせることが好ましい。
【００１３】
また、本発明に係る携帯電子機器では、前記操作部は、前記入力キーの操作に応じて前記表示部に表示された文字のうち、直近の操作に対応する文字の消去を指示可能なクリアキーを更に備え、前記制御部は、前記第１文字種の文字及び前記第２文字種の文字が前記表示部に表示されている状態から、前記操作時間の間隔に基づいて前記第１文字種の文字及び前記第２文字種の文字のいずれか一方が表示され他方が消去された状態に遷移した後、前記クリアキーが操作された場合に、前記表示部から消去された文字種の文字を前記表示部に再表示させて、前記第１文字種の文字及び前記第２文字種の文字が前記表示部に表示されている状態に遷移させることが好ましい。
【００１４】
本発明に係る表示制御方法は、表示部と、少なくとも２種類の文字種を入力可能な複数の入力キーを含む操作部と、を備える携帯電子機器が、前記表示部に対する表示制御を行う表示制御方法であって、前記入力キーのいずれか一のキーが操作されたことに応じて、当該操作された入力キーに対応付けられた第１文字種の文字及び第２文字種の文字を前記表示部に表示させるステップと、前記表示部に当該操作された入力キーに対応付けられた第１文字種の文字及び第２文字種の文字が表示されている場合において、前記入力キーが連続して複数回操作されたとき、当該操作に係る操作時間の間隔に基づいて、前記第１文字種の文字と前記第２文字種の文字とのいずれか一の文字種の文字を前記表示部に表示させた状態で、他方の文字種の文字を前記表示部から消去させるステップと、を含む。
【発明の効果】
【００１５】
本発明によれば、複数の文字種が表示されている画面から、一の文字種が表示されている画面に簡易的に切り替えることができる。
【図面の簡単な説明】
【００１６】
【図１】本実施形態に係る携帯電話装置の外観斜視図である。
【図２】本実施形態に係る携帯電話装置の機能を示す機能ブロック図である。
【図３】本実施形態に係るＬＣＤ表示部に第１画面が表示された状態を示す図である。
【図４】本実施形態に係るＬＣＤ表示部に第１画面が表示されている場合において、入力キー１４１のいずれか一のキーが連続して複数回操作された場合を示す図である。
【図５】本実施形態に係るＬＣＤ表示部に第２画面が表示された状態のを示す図である。
【図６】本実施形態に係るＬＣＤ表示部に第３画面が表示された状態を示す図である。
【図７】本実施形態に係るＬＣＤ表示部にメニュー画面が表示された状態を示す図である。
【図８】本実施形態に係る第３画面に表示されていた文字列が入力された状態でアプリケーションが実行された例を示す図である。
【図９】本実施形態に係る制御部により待受画面が表示されている状態からアプリケーションの実行又は発呼が行われるまでの処理の流れを示すフローチャートである。
【図１０】図９に続くフローチャートである。
【図１１】図１０に続くフローチャートである。
【発明を実施するための形態】
【００１７】
以下、本発明の実施の形態について説明する。まず、本発明の携帯電子機器の一実施形態に係る携帯電話装置１の基本構造について、図１を参照しながら説明する。図１は、本実施形態に係る携帯電話装置１の外観斜視図である。
【００１８】
なお、図１は、いわゆる折り畳み型の携帯電話装置の形態を示しているが、本発明に係る携帯電話装置の形態としては、特にこれに限られない。例えば、両筐体を重ね合わせた状態から一方の筐体を一方向にスライドさせるようにした回転式（ターンタイプ）や、操作部と表示部とが１つの筐体に配置され、連結部を有さない形式（ストレートタイプ）でもよい。
【００１９】
携帯電話装置１は、操作部側筐体部２と、表示部側筐体部３とを備えて構成される。
操作部側筐体部２は、表面部１０に、操作部１１と、携帯電話装置１の使用者が通話時に発した音声が入力されるマイク１２とを備えて構成される。操作部１１は、機能設定操作キー１３と、入力操作キー１４と、各種操作における決定やスクロール等を行う決定操作キー１５とから構成されている。
【００２０】
機能設定操作キー１３は、各種設定や電話機能やメール機能等の各種機能を作動させるためのキーである。
入力操作キー１４は、少なくとも２種類の文字種を入力するための複数の入力キー１４１と、発呼を指示可能な発呼キー１４２と、入力キー１４１の操作に応じてＬＣＤ表示部２１に表示された文字、数字及び記号等のうち直近の入力キー１４１の操作に対応する文字、数字及び記号等の消去を指示可能なクリアキー１４３と、呼を切断する切断キー１４４とから構成される。ここで、２種類の文字種には、第１文字種である数字と、第２文字種である文字とを含む。また、文字には、仮名文字や漢字の他、記号も含む。
決定操作キー１５は、各種操作における決定やスクロール等を行うためのキーである。
【００２１】
また、表示部側筐体部３は、表面部２０に、各種情報を表示するためのＬＣＤ（Ｌｉｑｕｉｄ  Ｃｒｙｓｔａｌ  Ｄｉｓｐｌａｙ）表示部２１と、呼（通話）の相手側の音声を出力するスピーカ２２とを備えて構成されている。
【００２２】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２３】
図２は、本実施形態に係る携帯電話装置１の機能を示す機能ブロック図である。
携帯電話装置１は、図２に示すように、操作部１１と、マイク１２と、通信部３０と、ＬＣＤ制御部４１と、音声処理部４２と、記憶部５０と、制御部６０とを操作部側筐体部２に備える。また、携帯電話装置１は、ＬＣＤ表示部２１と、スピーカ２２と、ＬＣＤドライバ２３とを表示部側筐体部３に備える。
【００２４】
通信部３０は、基地局（図示省略）等の外部機器と信号の送受信を行う。この通信部３０は、アンテナとしてのメインアンテナ３１と、ＲＦ回路部３２とを備える。
【００２５】
メインアンテナ３１は、基地局等の外部機器と、所定の変調方式で変調された高周波信号の送受信を行う。
ＲＦ回路部３２は、メインアンテナ３１により送受信される高周波信号を処理する。具体的には、ＲＦ回路部３２は、メインアンテナ３１によって受信した信号を所定の復調方式で復調し、処理後の信号を制御部６０に供給する。また、ＲＦ回路部３２は、制御部６０から供給された信号を所定の変調方式で変調し、メインアンテナ３１を介して基地局等の外部機器に送信する。
【００２６】
ＬＣＤ制御部４１は、制御部６０の制御に従って、所定の画像処理を行い、処理後の画像データをＬＣＤドライバ２３に出力する。ＬＣＤドライバ２３は、フレームメモリを備えており、ＬＣＤ制御部４１から供給された画像データをフレームメモリに蓄える。そして、ＬＣＤドライバ２３は、フレームメモリに蓄えられた画像データを所定のタイミングでＬＣＤ表示部２１又はサブＬＣＤ表示部（図示省略）に出力する。
【００２７】
音声処理部４２は、制御部６０の制御に従って、所定の音声処理を行い、処理後の信号をスピーカ２２に出力する。スピーカ２２は、音声処理部４２から供給された信号を外部に出力する。また、音声処理部４２は、マイク１２から入力された信号を処理し、処理後の信号を制御部６０に出力する。
【００２８】
記憶部５０は、例えば、電話帳情報等の情報を記憶するメモリ等により構成されており、制御部６０による演算処理に利用される。また、記憶部５０は、メモ帳アプリケーションやメールアプリケーション等の各種アプリケーションや各種プログラム等を記憶する。なお、記憶部５０は、着脱可能な外部メモリを兼ねていてもよい。
【００２９】
制御部６０は、携帯電話装置１の全体を制御しており、例えば、通信部３０、ＬＣＤ制御部４１、音声処理部４２等に対して所定の制御を行う。また、制御部６０は、処理実行の際には、記憶部５０を制御し、各種プログラム及びデータの読み出し、並びにデータの書き込みを行う。
【００３０】
また、制御部６０は、待受画面（ホーム画面や壁紙ともいわれる）において、機能設定操作キー１３や入力操作キー１４の入力を受け付ける。ここで、待受画面とは、発信及び着信並びにアプリケーションを待ち受ける画面である。
【００３１】
そして、制御部６０は、待受画面において、入力操作キー１４を構成する複数の入力キー１４１のいずれか一のキーが操作されたことに応じて、図３に示すように、操作された入力キー１４１に対応付けられた数字列及び文字列をＬＣＤ表示部２１に表示させるとともに、入力された文字の予測変換候補や、発信の受け付けていることを示す発信受付情報をＬＣＤ表示部２１に表示させる。ここで、図３に示すように、ＬＣＤ表示部２１に、数字列、文字列、予測変換候補及び発信受付情報が表示されている画面を第１画面という。また、数字列は、１又は複数の数字から構成される数字の集合であり、文字列は、１又は複数の文字から構成される文字の集合である。
【００３２】
そして、制御部６０は、第１画面において、図４に示すように、入力操作キー１４を構成する入力キー１４１のいずれか一のキーが連続して複数回操作された場合に、いずれか一の操作（例えば、１回目の操作）と、この操作の次の操作（例えば、２回目の操作）との操作時間の間隔を測定する。そして、制御部６０は、測定された操作時間の間隔に基づいて、ＬＣＤ表示部２１に表示されている数字列及び文字列のいずれか一方をＬＣＤ表示部２１に表示させた状態で、他方をＬＣＤ表示部２１から消去させる。
【００３３】
具体的には、制御部６０は、第１画面において、入力操作キー１４を構成する複数の入力キー１４１のいずれか一のキーが連続して複数回操作された場合に、これらの操作に対して測定された操作時間の間隔が所定時間（例えば、０．５秒）以上であるときには、図５に示すように、数字列をＬＣＤ表示部２１に表示させた状態で文字列をＬＣＤ表示部２１から消去させる。ここで、図５に示すように、第１画面から遷移した画面であって、数字列がＬＣＤ表示部２１に表示された状態で文字列がＬＣＤ表示部２１から消去された画面を第２画面という。
【００３４】
また、制御部６０は、第１画面において、入力操作キー１４を構成する複数の入力キー１４１のいずれか一のキーが連続して複数回操作された場合に、これらの操作に対応して測定された操作時間の間隔が所定時間未満であるときには、図６に示すように、文字列をＬＣＤ表示部２１に表示させた状態で数字列をＬＣＤ表示部２１から消去させる。ここで、図６に示すように、第１画面から遷移した画面であって、文字列がＬＣＤ表示部２１に表示された状態で数字列がＬＣＤ表示部２１から消去された画面を第３画面という。
【００３５】
そして、制御部６０は、第１画面のようにＬＣＤ表示部２１に数字列と文字列との双方が表示されている状態において、発呼キー１４２が操作された場合、ＬＣＤ表示部２１に表示されている数字列を電話番号として、通信部３０に対して発呼を行わせる。なお、制御部６０は、第２画面のようにＬＣＤ表示部２１に数字列のみ表示されている場合において、発呼キー１４２が操作されたとき、ＬＣＤ表示部２１に表示されている数字列を電話番号として、通信部３０に対して発呼を行わせる。
【００３６】
また、制御部６０は、第１画面のように、ＬＣＤ表示部２１に数字列と文字列との双方が表示されている状態において、機能設定操作キー１３が操作された場合、図７に示されるアプリケーション決定のためのメニュー画面を表示させる。なお、制御部６０は、第３画面のようにＬＣＤ表示部２１に文字列のみ表示されている場合において、機能設定操作キー１３が操作されたとき、図７に示されるアプリケーション決定のためのメニュー画面を表示させる。続いて、制御部６０は、決定操作キー１５が操作されメニュー画面に表示されているアプリケーションが選択された場合、第１画面又は第３画面に示されていた文字列をアプリケーションに入力する。例えば、図７に示されるメニュー画面に示される「メモ帳」が選択された場合には、図８に示すように、「メモ帳」に対応するメモ帳アプリケーションが実行されるとともに、図６に表示されていた文字列「あし」が表示される。
【００３７】
また、制御部６０は、数字列及び文字列がＬＣＤ表示部２１に表示されている状態から、測定された操作時間の間隔に基づいて数字列及び文字列のいずれか一方が表示され他方が消去された状態に遷移した後、クリアキー１４３が操作された場合に、直近の操作に対応する文字又は数字の消去を行う。そして、制御部６０は、ＬＣＤ表示部２１から消去された数字列又は文字列をＬＣＤ表示部２１に再表示させて、数字列と文字列との双方がＬＣＤ表示部２１に表示されている状態に遷移させる。
【００３８】
つまり、制御部６０は、ＬＣＤ表示部２１に表示されている画面が第１画面から第２画面又は第３画面に遷移した直後にクリアキー１４３が操作されたとき、ＬＣＤ表示部２１に表示される画面を第２画面又は第３画面から第１画面に遷移させる。
【００３９】
なお、制御部６０は、測定された操作時間の間隔が所定時間以上であるか否かに基づいて、ＬＣＤ表示部２１に表示させる画面の表示制御を行うこととしたが、これに限らない。例えば、制御部６０は、ＬＣＤ表示部２１に第１画面が表示されている状態において、入力操作キー１４を構成する複数の入力キー１４１のいずれか一のキーが連続して複数回操作された場合に、これらの操作に係る操作時間の間隔が第１時間未満の場合には文字列をＬＣＤ表示部２１に表示させた状態で数字列をＬＣＤ表示部２１から消去させる。つまり、制御部６０は、これらの操作に係る操作時間の間隔が第１時間未満の場合には、ＬＣＤ表示部２１に表示されている画面を第１画面から第３画面に遷移させる。
【００４０】
また、制御部６０は、この操作時間の間隔が第１時間以上かつ第２時間未満の場合に、数字列と文字列との双方のＬＣＤ表示部２１への表示を継続させる。つまり、制御部６０は、これらの操作に係る操作時間の間隔が第１時間以上かつ第２時間未満の場合には、ＬＣＤ表示部２１に表示されている画面を第１画面に維持する。
【００４１】
また、制御部６０は、この操作時間の間隔が第２時間以上の場合に、数字列をＬＣＤ表示部２１に表示させた状態で文字列をＬＣＤ表示部２１から消去させる。つまり、制御部６０は、これらの操作に係る操作時間の間隔が第２時間以上の場合には、ＬＣＤ表示部２１に表示されている画面を第１画面から第２画面に遷移させる。
【００４２】
続いて、携帯電話装置１の制御部６０の処理の流れについて説明する。
図９は、本実施形態に係る制御部６０によりアプリケーションの実行又は発呼が行われるまでの処理の流れを示すフローチャートである。なお、図９に示すフローチャートでは、所定の時間に基づいて表示制御（表示画面の遷移）が行われるものとする。また、図９に示すフローチャートの処理が行われる場合に、ＬＣＤ表示部２１に待受画面が表示されているものとする。
【００４３】
ステップＳ１において、制御部６０は、携帯電話装置１のユーザから、操作部１１を介して操作を受け付ける。
ステップＳ２において、制御部６０は、操作部１１を構成する入力操作キー１４の入力キー１４１が操作されたか否かを判定する。制御部６０は、この判定がＹＥＳの場合、ステップＳ３に処理を移し、この判定がＮＯの場合、ステップＳ５に処理を移す。
【００４４】
ステップＳ３において、制御部６０は、ＬＣＤ表示部２１に待受画面が表示されているか否かを判定する。制御部６０は、この判定がＹＥＳの場合、ステップＳ４に処理を移し、この判定がＮＯの場合、ステップＳ８に処理を移す。
【００４５】
ステップＳ４において、制御部６０は、入力キー１４１を介した入力に対応する数字及び文字が表示された第１画面を表示させる。すなわち、制御部６０は、待受画面から第１画面に画面遷移を行う。制御部６０は、この処理が終了すると、ステップＳ１に処理を移す。
【００４６】
ステップＳ５において、制御部６０は、操作部１１を構成する入力操作キー１４のクリアキー１４３が操作されたか否かを判定する。制御部６０は、この判定がＹＥＳの場合、図１１のステップＳ１７に処理を移し、この判定がＮＯの場合、ステップＳ６に処理を移す。
【００４７】
ステップＳ６において、操作部１１の入力キー１４１及びクリアキー１４３以外の操作キーが操作されているため、制御部６０は、操作されたキーに対応する処理を実行する。
ステップＳ７において、制御部６０は、ステップＳ６における処理の結果、アプリケーションの実行又は発呼が行われたか否かを判定する。制御部６０は、この判定がＹＥＳの場合、本フローチャートに係る処理を終了し、この判定がＮＯの場合、ステップＳ１に処理を移す。
【００４８】
図１０に説明を移す。ステップＳ８において、制御部６０は、ＬＣＤ表示部２１に第１画面が表示されているか否かを判定する。制御部６０は、この判定がＹＥＳの場合、ステップＳ９に処理を移し、この判定がＮＯの場合、ステップＳ１４に処理を移す。
【００４９】
ステップＳ９において、制御部６０は、入力操作キー１４を構成する複数の入力キー１４１のいずれか一のキーが連続して操作されたか否かを判定する。制御部６０は、この判定がＹＥＳの場合、ステップＳ１１に処理を移し、この判定がＮＯの場合、ステップＳ１０に処理を移す。
【００５０】
ステップＳ１０において、制御部６０は、操作が受け付けられた入力キー１４１に対応する数字及び文字を第１画面に追加表示させる。制御部６０は、この処理が終了すると、図９のステップＳ１に処理を移す。
【００５１】
ステップＳ１１において、制御部６０は、入力キー１４１のうち、いずれか一のキーの連続した操作の操作時間の間隔が所定時間以上であるか否かを判定する。制御部６０は、この判定がＹＥＳの場合、ステップＳ１２に処理を移し、この判定がＮＯの場合、ステップＳ１３に処理を移す。
【００５２】
ステップＳ１２において、制御部６０は、入力操作キー１４を構成する入力キー１４１を介した入力に対応する数字列が表示され文字列が消去された第２画面をＬＣＤ表示部２１に表示させる。すなわち、制御部６０は、第１画面から第２画面に画面遷移を行う。制御部６０は、この処理が終了すると、図９のステップＳ１に処理を移す。
【００５３】
ステップＳ１３において、制御部６０は、入力操作キー１４を構成する入力キー１４１を介した入力に対応する文字列が表示され数字列が消去された第３画面をＬＣＤ表示部２１に表示させる。すなわち、制御部６０は、第１画面から第３画面に画面遷移を行う。制御部６０は、この処理が終了すると、図９のステップＳ１に処理を移す。
【００５４】
なお、制御部６０は、第１時間及び第２時間に基づいて表示制御（表示画面の遷移）が行われる場合には、ステップＳ１１において、操作時間の間隔が第１時間未満であるか、第１時間以上第２時間未満であるか、第２時間以上であるか判定する。そして、制御部６０は、操作時間の間隔が第１時間未満である場合、ステップＳ１３に処理を移し、操作時間の間隔が第１時間以上第２時間未満である場合、図９のステップＳ１に処理を移し、操作時間の間隔が第２時間以上である場合、ステップＳ１２に処理を移す。
【００５５】
ステップＳ１４において、制御部６０は、ＬＣＤ表示部２１に第２画面が表示されているか否かを判定する。制御部６０は、この判定がＹＥＳの場合、ステップＳ１５に処理を移し、この判定がＮＯの場合、ステップＳ１６に処理を移す。
【００５６】
ステップＳ１５において、ＬＣＤ表示部２１には第２画面が表示されている状態であるため、制御部６０は、操作が受け付けられた入力キー１４１に対応する数字を第２画面に追記表示させる。制御部６０は、この処理が終了すると、図９のステップＳ１に処理を移す。
【００５７】
ステップＳ１６において、ＬＣＤ表示部２１には第３画面が表示されている状態であるため、制御部６０は、操作が受け付けられた入力キー１４１に対応する文字を第３画面に追記表示させる。制御部６０は、この処理が終了すると、図９のステップＳ１に処理を移す。
【００５８】
図１１に説明を移す。ステップＳ１７において、制御部６０は、ＬＣＤ表示部２１に第１画面が表示されているか否かを判定する。制御部６０は、この判定がＹＥＳの場合、ステップＳ１８に処理を移し、この判定がＮＯの場合、ステップＳ１９に処理を移す。
ステップＳ１８において、制御部６０は、入力キー１４１を介して直前に入力された数字及び文字を第１画面から消去させる。
【００５９】
ステップＳ１９において、制御部６０は、ＬＣＤ表示部２１に第２画面が表示されているか否かを判定する。制御部６０は、この判定がＹＥＳの場合、ステップＳ２０に処理を移し、この判定がＮＯの場合、ステップＳ２３に処理を移す。
【００６０】
ステップＳ２０において、制御部６０は、ＬＣＤ表示部２１に表示されている画面が第１画面から第２画面に遷移した直後であるか否かを判定する。制御部６０は、この判定がＹＥＳの場合、ステップＳ２１に処理を移し、この判定がＮＯの場合、ステップＳ２２に処理を移す。
【００６１】
ステップＳ２１において、制御部６０は、ＬＣＤ表示部２１に、第２画面に遷移する直前にＬＣＤ表示部２１に表示されていた第１画面を再表示させる。制御部６０は、この処理が終了すると、図９のステップＳ１に処理を移す。
【００６２】
ステップＳ２２において、制御部６０は、第２画面に表示されている数字のうち、入力キー１４１を介して直前に入力された数字を第２画面から消去させる。制御部６０は、この処理が終了すると、図９のステップＳ１に処理を移す。
【００６３】
ステップＳ２３において、制御部６０は、ＬＣＤ表示部２１に第３画面が表示されているか否かを判定する。制御部６０は、この判定がＹＥＳの場合、ステップＳ２４に処理を移し、この判定がＮＯの場合、図９のステップＳ１に処理を移す。
【００６４】
ステップＳ２４において、制御部６０は、ＬＣＤ表示部２１に表示されている画面が第１画面から第３画面に遷移した直後であるか否かを判定する。制御部６０は、この判定がＹＥＳの場合、ステップＳ２５に処理を移し、この判定がＮＯの場合、ステップＳ２６に処理を移す。
【００６５】
ステップＳ２５において、制御部６０は、ＬＣＤ表示部２１に、第３画面に遷移する直前にＬＣＤ表示部２１に表示されていた第１画面を再表示させる。制御部６０は、この処理が終了すると、図９のステップＳ１に処理を移す。
【００６６】
ステップＳ２６において、制御部６０は、第３画面に表示されている文字のうち、入力キー１４１を介して直前に入力された文字を第３画面から消去させる。制御部６０は、この処理が終了すると、図９のステップＳ１に処理を移す。
【００６７】
以上、本実施形態によれば、携帯電話装置１は、制御部６０により、複数の入力キー１４１のいずれか一のキーが連続して複数回操作された場合に、当該操作に係る操作時間の間隔に基づいて、数字（第１文字種の文字）と文字（第２文字種の文字）とのいずれか一方をＬＣＤ表示部２１に表示させた状態で、他方をＬＣＤ表示部２１から消去させる。
よって、携帯電話装置１は、数字や文字等の複数の文字種が表示されている画面から、数字や文字等の複数の文字種の切り替えに係る操作を受け付けることを要さずに、一の文字種が表示されている画面に簡易的に切り替えることができる。
【００６８】
また、携帯電話装置１は、制御部６０により、入力キー１４１のいずれか一のキーが連続して複数回操作された場合に、当該操作に係る操作時間の間隔が所定時間以上であるときには数字列（第１文字種の文字）をＬＣＤ表示部２１に表示させた状態で文字列（第２文字種の文字）をＬＣＤ表示部２１から消去させ、当該操作に係る操作時間の間隔が所定時間未満であるときには文字列（第２文字種の文字）をＬＣＤ表示部２１に表示させた状態で数字列（第１文字種の文字）をＬＣＤ表示部２１から消去させる。
【００６９】
ここで、携帯電話装置１のユーザが、発呼を行うことを目的として数字キーを入力する場合、携帯電話装置１には、この携帯電話装置１に記憶されている電話帳に記憶されていない電話番号が入力されている可能性が高い。この場合、ユーザは、名刺やメモ帳等に記載されている電話番号を確認しながら慎重に入力する場合が多いことから、メール等の文字入力に比べて入力操作が遅い可能性が高い。
【００７０】
これに対して、携帯電話装置１では、入力キー１４１のいずれか一のキーが連続して複数回操作された場合の操作時間の間隔に基づいて、携帯電話装置１のユーザの入力が数字に対応するものであるか、文字に対応するものであるかを判定し、表示されている画面をユーザの意図した入力に対応させて切り替えることができる。
【００７１】
また、携帯電話装置１は、制御部６０により、入力キー１４１のいずれか一のキーが連続して複数回操作された場合における操作時間の間隔が第１時間未満の場合には文字列をＬＣＤ表示部２１に表示させた状態で数字列をＬＣＤ表示部２１から消去させ、当該操作時間の間隔が第２時間以上の場合には数字列をＬＣＤ表示部２１に表示させた状態で文字列をＬＣＤ表示部２１から消去させ、当該操作時間の間隔が第１時間以上かつ第２時間未満の場合には数字列と文字列との双方のＬＣＤ表示部２１への表示を継続させる。
【００７２】
このようにすることで、携帯電話装置１では、入力キー１４１のいずれか一のキーが連続して複数回操作された場合の操作時間の間隔が、十分に短い間隔（第１時間未満の間隔）である場合に、携帯電話装置１のユーザの入力が文字に対応するものであると判定し、十分に長い間隔（第２時間以上の間隔）である場合に、携帯電話装置１のユーザの入力が数字に対応するものであると判定することができる。そして、携帯電話装置１では、入力キー１４１のいずれか一のキーが連続して複数回操作された場合の操作時間の間隔が、数字又は文字のいずれにも該当するような程度の間隔（第１時間以上かつ第２時間未満）の場合に、数字列及び文字列の双方をＬＣＤ表示部２１に表示させた状態で、さらなる入力に基づいて適切な判定を行うことができる。
【００７３】
また、携帯電話装置１は、制御部６０により、入力キー１４１のいずれか一のキーが連続して複数回操作された場合、いずれか一の操作と、当該操作の次の操作との操作時間の間隔を測定する。このようにすることで、携帯電話装置１は、この測定した操作時間の間隔に基づいて、携帯電話装置１のユーザの入力が数字に対応するものであるか、文字に対応するものであるかを判定することができる。
【００７４】
また、携帯電話装置１は、制御部６０により、ＬＣＤ表示部２１に第１文字種として数字列が表示されている状態において発呼キー１４２が操作された場合に、当該数字列を電話番号として通信部３０に対して発呼を行わせる。このようにすることで、携帯電話装置１は、発呼キー１４２が操作された場合に、ユーザの入力が電話番号に対応するものと判定して、発呼を行うことができる。
【００７５】
また、携帯電話装置１は、制御部６０により、数字列及び文字列がＬＣＤ表示部２１に表示されている状態から、操作時間の間隔に基づいて数字列及び文字列のいずれか一方が表示され他方が消去された状態に遷移した後、クリアキー１４３が操作された場合に、ＬＣＤ表示部２１から消去された数字列又は文字列をＬＣＤ表示部２１に再表示させて、数字列及び文字列がＬＣＤ表示部２１に表示されている状態に遷移させる。
【００７６】
ここで、数字列及び文字列のいずれか一方が表示され他方が消去された状態に遷移した直後にクリアキーが操作された場合には、チャタリングや誤操作等、ユーザが意図しない操作である可能性が高い。
【００７７】
これに対して、携帯電話装置１は、数字列及び文字列のいずれか一方が表示され他方が消去された状態に遷移した後、クリアキー１４３が操作された場合、最後に行われた操作が、ユーザが意図しない操作と判定して、数字列及び文字列のいずれか一方が表示され他方が消去された状態を無効とし、直前の状態に戻すことができる。そして、携帯電話装置１は、数字列及び文字列の双方が表示された状態において、再度、ユーザの入力が数字に対応するものであるか、文字に対応するものであるかを判定することができる。
【００７８】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７９】
本実施形態では、携帯電子機器の一例として、携帯電話装置１について説明したが、本発明は携帯電話装置１に限られるものではなく、携帯電話装置１が各種機能を実行する方法、携帯電話装置１に各種機能を実行させるためのプログラム、及びこのプログラムを記憶した記憶媒体にも適用可能である。また、本発明の電子機器は、携帯電話装置１に限られず、ＰＤＡ（Ｐｅｒｓｏｎａｌ  Ｄｉｇｉｔａｌ  Ａｓｓｉｓｔａｎｔ）等、操作部と表示部とを備える通信機器等に適用可能である。
【００８０】
また、本実施形態では、制御部６０は、入力キー１４１のいずれか一のキーが連続して複数回操作された場合の操作時間の間隔に基づいて表示制御を行うこととしたが、これに限らない。例えば、制御部６０は、入力キー１４１のいずれか一のキーが連続して複数回操作された場合、連続した操作が開始してから終了するまでの操作時間に基づいて、数字列と文字列とのいずれか一方を消去するようにしてもよい。
【００８１】
また、制御部６０は、入力キー１４１の複数のキーが連続して複数回操作された場合に、それぞれの操作間隔の平均値に基づいて、数字列と文字列とのいずれか一方を消去するようにしてもよい。
【符号の説明】
【００８２】
１  携帯電話装置
２１  ＬＣＤ表示部
３０  通信部
６０  制御部
１４  入力操作キー
１４１  入力キー
１４２  発呼キー
１４３  クリアキー
１４４  切断キー
【図１】
2012248975.tif 000003
【図２】
2012248975.tif 000004
【図３】
2012248975.tif 000005
【図４】
2012248975.tif 000006
【図５】
2012248975.tif 000007
【図６】
2012248975.tif 000008
【図７】
2012248975.tif 000009
【図８】
2012248975.tif 000010
【図９】
2012248975.tif 000011
【図１０】
2012248975.tif 000012
【図１１】
2012248975.tif 000013